(57)【要約】  本発明は、ドア、シャッタ、及び引き出しのための、特に車両部門のキャビネット等のための家具閉鎖装置に関する。特に設計及び作製を行いやすくしながらもドア、シャッタ、及び引き出しの密封された確実な閉鎖を確保する家具閉鎖装置を提供するために、その周縁領域に沿ってシール６、把持ストリップ８、及びロック要素７を含む異形レール５が配置され、水平軸２３を中心に枢動することができる。シール６は、ロック要素７を閉鎖位置に保持するばね力を有し、開放位置にするために圧縮することができる。
2010511109.tif 000002
【特許請求の範囲】
【請求項１】
ドア、フラップ、及び引き出し用の家具閉鎖装置であって、いずれの場合も家具類（１１）の開口部（１２）を覆うか又は該開口部（１２）に受け入れられ、前記ドア、前記フラップ、又は前記引き出し（２）の前板（３）の接触面（４）が前記開口部（１２）を越えて突出して閉鎖位置で前記家具類（１１）の合わせ面（１３）と係合する、家具閉鎖装置において、
前記ドア、前記フラップ、又は前記前板（３）の周縁領域に、異形レール（５）が設けられ、該異形レール（５）は、シール（６）及びロック部材（７）を備え、前記閉鎖位置から開放位置に、またその逆に調整可能であることを特徴とする、ドア、フラップ、及び引き出し用の家具閉鎖装置。
【請求項２】
前記シール（６）及び前記ロック部材（７）を含む前記異形レール（５）は、長手方向軸（２３）を中心に枢動可能であり、前記シール（６）は、前記ロック部材（７）を、したがって前記ドア、前記フラップ、又は前記引き出し（２）を前記閉鎖位置に保つばね張力を有することを特徴とする、請求項１に記載の家具閉鎖装置。
【請求項３】
弾力性があり、ばね張力を有する材料でできている前記シール（６）は、前記閉鎖位置で前記家具類（１１）の前記合わせ面（１３）と密封係合し、前記ドア、前記フラップ、又は前記引き出し（２）のアンロック及び開放のために圧縮可能であることを特徴とする、請求項１又は２に記載の家具閉鎖装置。
【請求項４】
前記シール（６）は、弾性プラスチック又は発泡ゴムでできており、及び／又はリップシール又はセル状シールとして構成されることを特徴とする、請求項１乃至３のいずれか１項に記載の家具閉鎖装置。
【請求項５】
前記シール（６）は、シーリング材又は絶縁材でできていることを特徴とする、請求項１乃至４のいずれか１項に記載の家具閉鎖装置。
【請求項６】
前記異形レール（５）の前記長手方向軸（２３）は、ヒンジ状又は継手状構成を有し、前記異形レール（５）は、帯又は弾性ヒンジ、ピボット継手、又はピボットピンを用いて前記ドア、前記フラップ、又は前記引き出し（２）の前記前板（３）に固定されることを特徴とする、請求項１乃至５のいずれか１項に記載の家具閉鎖装置。
【請求項７】
前記異形レール（５）は、２つの部品で構成され、第１の部品（１８）が、継手（２８）、例えば自在継手又は軸継手、並びに前記シール（６）及び前記ロック部材（７）を有し、第２の部品（１９）が、前記水平軸（２３）を形成するように前記継手（２８）を受け入れる継手受口（２９）、例えばローラ座又は軸座（roller or shaft seat）を有することを特徴とする、請求項１乃至６のいずれか１項に記載の家具閉鎖装置。
【請求項８】
前記異形レール（５）は、把持ストリップ（８）を有することを特徴とする、請求項１乃至７のいずれか１項に記載の家具閉鎖装置。
【請求項９】
前記異形レール（５）に、前記開放位置への該異形レール（５）の枢動を制限する少なくとも１つの傾斜停止部（３１、３７）が設けられることを特徴とする、請求項１乃至８のいずれか１項に記載の家具閉鎖装置。
【請求項１０】
前記異形レール（５）は、断面が概ねＩ字形又はＴ字形であり、鉛直脚部（２０）及び水平脚部（２１）を有し、該水平脚部（２１）は、外部に前記把持ストリップ（８）が設けられ、前記異形レール（５）の枢動可能な係着が、前記鉛直脚部（２０）の領域で行われることを特徴とする、請求項１乃至９のいずれか１項に記載の家具閉鎖装置。
【請求項１１】
前記異形レール（５）及び該異形レール（５）の中又は上に保持されるシール（６）は、水平配置の場合、前記ドア、前記フラップ、又は前記引き出し（２）の前記前板（３）の上方領域で幅にわたって延び、鉛直配置の場合、特にドアの縦方向側部で該ドアの一部領域にわたって延び、前記シール（６）は、前記ドア、前記フラップ、又は前記前板の残りの側部にも位置付けられることを特徴とする、請求項１乃至１０のいずれか１項に記載の家具閉鎖装置。
【請求項１２】
前記異形レール（５）は、プラスチック、例えばＰＶＣ、又は金属、例えばアルミニウムでできていることを特徴とする、請求項１乃至１１のいずれか１項に記載の家具閉鎖装置。
【請求項１３】
少なくとも１つのロック部材（７）が、前記異形レール（５）に固定されるか又は組み込まれることを特徴とする、請求項１乃至１２のいずれか１項に記載の家具閉鎖装置。
【請求項１４】
前記ロック部材（７）は、キャッチ部材として、前記ドア、前記フラップ、又は前記引き出し（２）が前記閉鎖位置にあるときに前記家具類（１１）のストリップ（１４）、特にテーパジブストリップの後ろに係合するように構成されることを特徴とする、請求項１乃至１３のいずれか１項に記載の家具閉鎖装置。
【請求項１５】
前記ロック部材（７）は、前記異形レール（５）に組み込まれ、前記家具類（１１）のスロット（１５）内に係合するように構成されることを特徴とする、請求項１乃至１４のいずれか１項に記載の家具閉鎖装置。
【請求項１６】
前記異形レール（５）の前記第２の部品（１９）は、前記ドア、前記フラップ、又は前記引き出し（２）の前記前板（３）の前記周縁領域（１０）にナックル継手（３０）で固定することができ、該ナックル継手（３０）は、前記異形レール（５）の前記第１の部品（１８）の前記開放位置のための傾斜停止部（３１）として構成されることを特徴とする、請求項７乃至１５のいずれか１項に記載の家具閉鎖装置。
【請求項１７】
前記異形レール（５）の前記開放位置は、前記シール（６）及び／又は前記ロック部材（７）及び／又は前記接触面（４）及び／又は前記ドア、前記フラップ、若しくは前記前板（３）の内側（１６）の構成によって制限することができることを特徴とする、請求項１乃至１６のいずれか１項に記載の家具閉鎖装置。
【請求項１８】
保持部材（９）が、前記異形レール（５）に、特に前記水平脚部（２１）に位置決めされることを特徴とする、請求項１乃至１７のいずれか１項に記載の家具閉鎖装置。
【請求項１９】
前記保持部材（９）は、鉛直方向に調整可能であり、プラグインロックとして構成され、前記異形レール（５）、したがって前記ドア、前記フラップ、又は前記引き出し（２）は、前記閉鎖位置で保持されることを特徴とする、請求項１７に記載の家具閉鎖装置。
【請求項２０】
前記保持部材（９）は、前記閉鎖位置で前記接触面（４）の外側（１７）に当接して保持され、前記開放位置で前記異形レール（５）の上に突出することを特徴とする、請求項１乃至１９のいずれか１項に記載の家具閉鎖装置。
【請求項２１】
前記異形レール（５）は、断面が概ね半円形又はＵ字形であり、回転内管（５１）を受け入れるように構成され、前記把持ストリップ（８）、前記弾性シール（６）、及び前記ロック部材（７）は、前記回転内管（５１）に固定され、前記閉鎖位置から前記開放位置に、またその逆に調整することができることを特徴とする、請求項６、８、９、１１〜１５、１７乃至２０のいずれか１項に記載の家具閉鎖装置。
【請求項２２】
前記弾性シール（６）は、セル状シール（６０）として構成され、前記内管（５１）に固定されるシール足部（６１）と、前記家具類（１１）の前記合わせ面（１３）に平らに係合するように構成される少なくとも１つのセル（６３、６４）を含むシールヘッド（６２）とを有することを特徴とする、請求項２１に記載の家具閉鎖装置。
【請求項２３】
前記家具類（１１）の前記合わせ面（１３）は、家具形材（４２）によって形成され、該家具形材（４２）は、互いに直角を成す室形材（４３、４４）、異形シール（４６）を受け入れるように構成されるコーナ領域（４５）、及び前記閉鎖位置で前記ロック部材（７）を係合させるためのスロット（１５）を有することを特徴とする、請求項２１又は２２に記載の家具閉鎖装置。
【請求項２４】
前記異形レール（５）の前記弾性シール（６）は、前記閉鎖位置で前記異形シール（４６）及び前記家具形材（４２）のストリップ（１４）と係合し、該ストリップ（１４）は、末端部が前記コーナ領域（４５）で概ね斜めに延び、前記異形シール（４６）のための異形凹部を前記ロック部材（７）を受け入れる前記スロット（１５）から分離することを特徴とする、請求項２１乃至２３のいずれか１項に記載の家具閉鎖装置。
【請求項２５】
前記Ｕ字形の異形レール（５）は、内向きに曲がった脚部端を有する比較的短いＵ脚部（４７、４８）を有し、該Ｕ脚部の一方（４７）には、前記異形レール（５）を前記ドア、前記フラップ、又は前記前板（３）の前記周縁領域に固定する異形足部（４９、５０）が形成されることを特徴とする、請求項２１乃至２４のいずれか１項に記載の家具閉鎖装置。
【請求項２６】
前記内管（５１）は、前記異形レール（５）のＵ開口部と相補的な長手方向開口部を有し、該長手方向開口部の領域では、前記弾性シール（６）が設けられてシールヘッド（６２）が外方に突出し、前記把持ストリップ（８）は、前記長手方向開口部と概ね向かい合って固定部材（５４）を用いて前記回転内管（５１）に固定されることを特徴とする、請求項２１乃至２５のいずれか１項に記載の家具閉鎖装置。
【請求項２７】
長手方向軸（２３）を中心に前記弾性シール（６）、前記ロック部材（７）、及び前記把持ストリップ（８）を含む前記内管（５１）を回転調整するために、少なくとも前記締め付けねじ（５４）の付近で、前記異形レール（５）は凹部（５５）を有し、該凹部（５５）は、前記内管（５１）の開放移動を制限するような寸法であることを特徴とする、請求項２１乃至２６のいずれか１項に記載の家具閉鎖装置。
【請求項２８】
前記ロック部材（７）は、固定支柱（５６）を用いて前記内管（５１）内に固定されることを特徴とする、請求項２１乃至２７のいずれか１項に記載の家具閉鎖装置。
【請求項２９】
冷橋を回避するため、及び前記弾性シール（６）及び前記ロック部材（７）の付加的な保持のために、前記内管（５１）に、特に発泡させた絶縁材（５７）が設けられることを特徴とする、請求項２１乃至２８のいずれか１項に記載の家具閉鎖装置。
【請求項３０】
調整可能な前記内管（５１）、前記弾性シール（６）、前記少なくとも１つのロック部材（７）、及び前記把持ストリップ（８）を含む前記異形レール（５）は、特に前記ドア、前記フラップ、又は前記前板（３）の上方周縁領域に水平に、又は特に該ドア（４１）の縦方向側部（４０）の一部領域に鉛直に位置決めされることを特徴とする、請求項２１乃至２９のいずれか１項に記載の家具閉鎖装置。
【請求項３１】
前記異形レール（５）を前記縦方向側部（４０）の一部領域に位置決めする場合、前記ばね張力を増大させるためのシール延長部（７０）を含む前記弾性シールが設けられ、該シール延長部（７０）は、前記異形レール（５）の係着スロット（７２）内で前記弾性シール（６）を受け入れる係着領域（７１）を越えて延びることを特徴とする、請求項１乃至３０のいずれか１項に記載の家具閉鎖装置。
【請求項３２】
前記異形レール（５）は、前部に端部キャップ（３４）が設けられ、該端部キャップ（３４）は、前記フラップ、前記前板（３）、又は前記ドア（４１）の前記周縁領域の係着点（７３）に固定することができる、請求項３１に記載の家具閉鎖装置。
【請求項３３】
前記弾性シール（６）、前記ロック部材（７）、及び前記把持ストリップ（８）を含む、前記長手方向軸（２３）を中心に調整可能な前記異形レール（５）は、把持凹部（６５）を有する前記ドア、前記フラップ、又は前記前板（３）の前記周縁領域に配置され、前記弾性シール（６）は、前記家具形材（４２）の前記異形シール（４６）と係合し且つシール延長部（７０）を有し、前記ロック部材（７）は、フック状構成を有し、前記ロック位置では、相補的に構成されて前記家具形材（４２）に配置されているストリップ（１４）の後ろに係合することを特徴とする、請求項１乃至２０、３１、３２のいずれか１項に記載の家具閉鎖装置。
【発明の詳細な説明】
【技術分野】
【０００１】
本発明は、請求項１のプリアンブルに記載の家具閉鎖装置に関する。
【背景技術】
【０００２】
本発明は、基本的にドア、フラップ、及び／又は引き出しを有する全ての家具類に適している。しかしながら、本発明は特に、事実上全ての位置及び実質的に全ての状況で確実な閉鎖を確保する必要がある、車両部門のキャビネット等、すなわち陸上車、船艇、及び航空機のためのものである。好ましい使用分野は、保温、保冷、又は冷凍保存すべき製品がコンパートメント及び／又は引き出しに貯蔵される、空調キャビネット、例えば加熱キャビネット、冷却キャビネット、又は凍結キャビネットによって構成される。
【０００３】
最低限のエネルギー消費で空調を行うために、コンパートメント及び引き出しを密封すると同時に確実な閉鎖と容易且つ迅速な開放及び再閉とを可能にする必要がある。
【０００４】
ドアに、又はキャビネットコンパートメント又は引き出し用の家具開口部を囲むと共にドア、フラップ、又は引き出しの前板が突き当たる合わせ面に、周囲シール形材を設けることが知られている。一般的には、フラップ、引き出し、ドア等の閉鎖に役立つ、ベローズ状に構成されるシール形材又は磁気シールが用いられる。
【０００５】
閉鎖目的では、磁気閉鎖装置、圧力閉鎖装置、又はばね要素が利用される。
【０００６】
磁気シールは、比較的高価であり、いかなる引き出し又はコンパートメント構成にも適していない。さらに、悪影響を及ぼす冷橋が生じ得る。ベローズシールの欠点は、洗浄できないか又は洗浄に多大な努力を伴うことが避けられないため、ドア、フラップ等を閉じるときに常に空調キャビネットに細菌が導入される危険があることである。
【発明の概要】
【発明が解決しようとする課題】
【０００７】
本発明の目的は、特に単純な構成で製造費が安く、ドア、フラップ、及び引き出しの強力で確実な閉鎖及び容易な開放を確保すると共に特にシールの効率的な洗浄を可能にする、特に車両部門のキャビネット等のための家具閉鎖装置を提供することである。
【課題を解決するための手段】
【０００８】
本発明によれば、この目的は、請求項１の特徴によって達成される。適当で有利な発展形態は、従属請求項及び図面に関する説明に記載されている。
【０００９】
締め付けトルクを加え、且つ開放位置から確実な閉鎖位置又はその逆へのドア、フラップ、及び引き出しのロック及びアンロック並びに枢動を保証する閉鎖構造を、ドア、フラップ、又は引き出しに設けることが、本発明の基本原理である。
【００１０】
本発明によれば、ドア、フラップ、及び引き出し用の家具閉鎖装置であって、いずれの場合も家具類の開口部を覆うか又は開口部に受け入れられ、ドア、フラップ、又は引き出しの前板の接触面が開口部を越えて突出して閉鎖位置で家具類の合わせ面と係合する、家具閉鎖装置が、例えばドア、フラップ、又は前板の上方領域又は側方領域の周縁に位置付けられる異形レールを有する。異形レールには、シール及びロック部材が設けられ、閉鎖位置から開放位置に枢動させることができる。
【００１１】
異形レールがばね作用を有するシールを受け入れるように構成され、異形レールを閉鎖位置でばね要素としての役割を果たすシール及びロック部材と共に水平軸を中心に調整できることが有利である。そのばね張力の結果として、シールは、付加的なばね要素を用いずにドア、フラップ、又は引き出しの確実なロックを保証するようにロック部材をロック位置に押す。
【００１２】
例えばフラップ又は前板の上方領域に位置決めされると、シール及び異形レールは、ドア、フラップ、又は引き出しの前板の上方領域の全幅にわたって延びることができ、シールが、家具開口部全体をシールして縦方向側部及び下横方向側部にも位置付けられる。
【００１３】
大きなばね張力を有しロック部材を閉鎖位置に保つシールが特に有利に利用される。弾性プラスチック又は発泡ゴムでできているシールが好ましい。さらに、リップシール及びセル状シールが有利である。
【００１４】
適宜、絶縁特性を有する弾性シール（springy seal）が、空調キャビネットの家具閉鎖装置に用いられる。
【００１５】
異形レールの長手方向に位置付けられるピボットピンは、ヒンジ状又は継手状に適宜構成される。異形レールは、バンド（帯又はストラップ）若しくは弾性ヒンジ、ピボット継手、又はピボットピンを用いて、ドア、フラップ、又は引き出しの前板に調整可能に固定することもできる。
【００１６】
ドア、フラップ、又は引き出しの開閉のために、異形レールに把持ストリップが設けられることが有利である。閉鎖位置から開放位置への異形レールの枢動を制限するために、少なくとも１つの傾斜停止部も設けられる。
【００１７】
特に単純な構成変形形態では、異形レールは、概ねＩ字形又はＴ字形の断面構成を有し、フラップ、前板等の上方領域での配置に関して鉛直脚部を有し得る。鉛直脚部は、ドア、フラップ、又は引き出し前板のうち家具開口部に面する側に異形レールを係着するために用いることができ、例えば、ばね付勢され得るヒンジを受けることができる。
【００１８】
水平脚部は、非対称構成又は外方に傾斜を付けた構成を有することができ、末端部が把持ストリップに移行する。さらなる変形形態では、異形レールの水平脚部の内側に、シールを係止するための固定支柱が設けられ得る。
【００１９】
さらなる変形形態では、異形レールは、２つの部品で構成することができ、第１の部品は、継手、例えば自在継手又は軸継手を有し、第２の部品は、継手を受け入れて異形レールの水平軸を形成する継手受口、例えば自在座又は軸座（universal or shaft seat）を有する。異形レールの第１の部品は、例えばリップシールの形態のシールが係止される鉛直脚部と、末端部の把持ストリップを備える水平脚部とを有する。継手受口又は継手座と角度を付けて配置された２つの係着脚部とを含む異形レールの第２の部品は、例えばナックル継手を用いて特にドア、フラップ、又は引き出しの前板（extraction front）の上方領域に係着する目的で用いられる。
【００２０】
適宜、ナックル継手は、自在継手又は軸継手を受け入れた継手座を越えて延びて傾斜停止部に移行し、ここで開放位置での第１の異形レール部品の枢動を制限する。
【００２１】
ロック部材は、異形レールに、適宜鉛直脚部に堅固に固定され得る。ロック部材を異形レールに組み込むことも可能である。ロック部材は、異形レールの鉛直脚部からキャビネット本体の開口部内に概ね直角に突出し、ストリップ、有利にはテーパジブストリップ、又は家具開口部を囲む表面にあるスロットと協働する。
【００２２】
異形レールは、金属、例えばアルミニウムでできていてもよく、又はプラスチック材料、例えばＰＶＣでできていてもよい。ロック部材も同様に作製することができる。
【００２３】
適宜、シールは、家具本体の合わせ面との直線状の又は平らなシール係合が確保されるように構成される。圧縮することができ、異形レールを閉鎖位置から開放位置に、またその逆に調整するためのばね張力を与えるシールがあることが、特に有利である。例えばキャッチ部材として構成されているロック部材は、異形レールを開放位置に枢動させてシールを圧縮させると家具本体のスロット又はロックストリップから係脱するが、閉鎖位置ではこの中又は後ろに係合又はロックしている。
【００２４】
異形レールの開放位置は、少なくとも１つの傾斜停止部によって制限される。傾斜停止部は、例えばロック部材に形成されて、ドア、フラップ、又は引き出し前板の内側と協働することができる。代替的又は付加的に、傾斜停止部を、Ｉ字形又はＴ字形異形レールの水平脚部の下側に設けて、ドア、フラップ、又は前板の外側と協働させることもできる。
【００２５】
ドア、フラップ、又は引き出しの閉鎖位置は、保持部材によって付加的に確保され得る。保持部材は、例えば水平脚部の領域に設けることができ、鉛直方向に調整可能であることが好ましい。閉鎖位置では、保持部材は、異形レールがドア、フラップ、又は引き出し前板の外側に保持されるようにして異形レールを拘束することができる。ドア、フラップ、又は引き出しを開けるには、保持部材が異形レールの水平脚部を越えて延びて開放位置への異形レールの枢動を妨げなくなるように保持部材を上方に移動させる。有利には、保持部材は、プラグインロックとして構成される。
【００２６】
フラップ又は引き出しの前板の上方領域での水平配置及びドアの縦方向側部での鉛直配置の両方に適している代替的な家具閉鎖装置の場合、異形レールに回転内管が設けられ、回転内管には、弾性シール、少なくとも１つのロック部材、及び把持ストリップが係着される。異形レールは、断面が概ね半円形であるか又は比較的短いＵ脚部を有するＵ字形であり、Ｕ開口部が家具類の合わせ面の方を向くようにドア、フラップ、又は前板の絶縁壁に配置される。
【００２７】
弾性シールは、セル状シールとして構成され、弧状のシール足部で内管の内側に保持、例えばロック又は締着される。
【００２８】
内管は、異形レールのＵ開口部の付近に長手方向スロットがある円形形態で異形レールと相補的に構成され、弾性シールに概ね向かい合う部分が、把持ストリップを保持するための少なくとも１つの係着部材、例えば締め付けねじを受け入れるために平坦化されている。弾性シール、ロック部材、及び把持ストリップを含む内管の調整機能を確保するために、締め付けねじの付近で異形レールに凹部が設けられ、凹部は、ロック部材の開放移動を制限するような寸法であることが有利である。同時に、絶縁壁として適宜構成されるドア、フラップ、又は前板の内側には、ロック部材のための停止部が設けられる。
【００２９】
ドア、フラップ、又は前板の周縁領域に係着するために、異形レールは、完成した異形レールを押し込むか又はロックすることができるように、ドア、フラップ、又は前板の金属形材と相補的に構成される係着足部を備える。内管は、長手方向スロットの付近に外向き脚部を有し、外向き脚部は、異形レールのＵ脚部の内向き脚部端と協働して確実な保持を保証する。
【００３０】
例えば２つの中空室を有し得るシールヘッドを用いて、弾性シールは、家具形材又はそこに受け入れられる異形シールと係合し、且つ家具形材のコーナ領域で斜め外方に突出しておりロック部材のためのスロットを有するストリップと係合する。家具形材は、例えば、欧州特許第２１３３１０号明細書に記載の冷却キャビネット等の押出し形材に概ね対応し得る。
【００３１】
例えば押出しプラスチック製の回転内管とそこに固定されている弾性シール、ロック要素、及び把持ストリップとを有する、堅固に設けられた異形レールの構成は、製造しやすく特にシール及び絶縁作用が大きいと同時に確実な閉鎖及び容易な開放が得られることを特徴とする。
【００３２】
特に、弾性シール、少なくとも１つのロック部材、及び把持ストリップを備える異形レールを一部領域、例えばドアの縦方向側部に配置する場合、シール延長部によって弾性シールのばね張力を増大させることが有利である。シール延長部は、例えばシール形材の係着スロット内でシールが保持される係着領域の外側に設けられることが特に適切である。
【００３３】
この場合、比較的短い異形レールには、ドア又はフラップの周縁領域の係着点に適宜固定され得る端部キャップが設けられる。
【００３４】
家具閉鎖装置の代替的な構成では、把持凹部が形成されるドア、フラップ、又は前板の周縁領域に、弾性シール、少なくとも１つの閉鎖部材、把持ストリップ、及び長手方向側部ピボットピンを備える異形レールがある。この場合も、弾性シールにはシール延長部が設けられ、ロック部材は、フック状構成を有し、閉鎖位置では家具形材に位置付けられているストリップの後ろに係合する。
【００３５】
本発明を、非常に概略的な添付図面に関して本明細書でより詳細に後述する。
【図面の簡単な説明】
【００３６】
【図１】閉鎖位置にある本発明の家具閉鎖装置の縦断面図である。
【図２】開放位置にある図１による本発明の家具閉鎖装置の縦断面図である。
【図３】閉鎖位置にある本発明の家具閉鎖装置の第２の変形形態の縦断面図である。
【図４】図３の線ＩＶ−ＩＶに沿った平面図である。
【図５】図３の線Ｖ−Ｖに沿った平面図である。
【図６】閉鎖位置にある本発明の家具閉鎖装置の第３の変形形態の斜視詳細図である。
【図７】図６による本発明の家具閉鎖装置の縦断面図である。
【図８】図６及び図７に示した本発明の家具閉鎖装置の開放位置にある縦断面図である。
【図９】閉鎖位置にある本発明の家具閉鎖装置の第４の変形形態の縦断面図である。
【図１０】図９の、但し開放位置にある家具閉鎖装置の縦断面図である。
【図１１】ドアに取り付けられておりシールを一部破断した、本発明の家具閉鎖装置の第５の変形形態の斜視詳細図である。
【図１２】連続したシールを有する図１１の家具閉鎖装置の斜視詳細図である。
【図１３】閉鎖位置にある図１１及び図１２の家具閉鎖装置の縦断面図である。
【図１４】図１３の、但し開放位置にある家具閉鎖装置の縦断面図である。
【図１５】閉鎖位置にある本発明の家具閉鎖装置の第６の変形形態の縦断面図である。
【図１６】図１５の、但し開放位置にある家具閉鎖装置の縦断面図である。
【図１７】閉鎖位置にある本発明の家具閉鎖装置の第７の変形形態の縦断面図である。
【図１８】本発明の家具閉鎖装置を備える空調キャビネットのドアの斜視図である。
【発明を実施するための形態】
【００３７】
図１は、引き出し２の前板３によって覆われる開口部１２を有する家具類１１、例えば空調キャビネットを詳細な形態で示す。この実施形態では、家具閉鎖装置は、鉛直脚部２０と把持ストリップ８を含む水平脚部２１とを備える、概ねＩ字形の異形レール５から成る。
【００３８】
異形レール５は、前板３の上方領域に位置付けられて全幅にわたって延びる。
【００３９】
異形レール５には、少なくとも１つのロック部材７が係着され、ロック部材７は、キャッチ部材として構成され、家具類１１の領域でウェッジ形ストリップ１４の後ろに係合する。異形レール５は、シール６も有し、シール６は、この例ではリップシールとして構成され、異形レール５の概ねＴ字形のスロット内に係止されて閉鎖装置のばねとして働く。シール６は、異形レール５の全幅にわたって延び、前板３の縦方向側部及び下横方向側部（図示せず）で必要なシールも確保する。
【００４０】
図１は、閉鎖位置にある家具閉鎖装置を示し、この位置ではロック部材７がストリップ１４の後ろに係合する。開放位置にするには、例えばピボット継手として構成され得る長手方向軸（水平軸）２３を中心に異形レール５を矢印Ａ及びＢ（図２を参照）に従って枢動させ、シール６を圧縮させる。
【００４１】
ロック部材７の下には、前板３の内側１６と協働する傾斜停止部３１が設けられ、傾斜停止部３１は、例えばロック部材７に溶接され得る。代替的に、第２の傾斜停止部３７が、水平脚部２１の下側に位置付けられ、異形レール５の開放移動を制限するために前板３の外側１７に突き当たる。テーパ・ジブ・ストリップ（傾斜くさび片）１４の後ろでのロック部材７のロックは、異形レール５の領域でのシール６のばね張力の結果として行われる。
【００４２】
図３は、本発明の家具閉鎖装置の別の変形形態を示す。異形レール５は、第１の部品１８及び第２の部品１９を含む２つの部品で構成される。第２の部品１９は、ドア、フラップ、又は引き出し前板３の周縁領域に係着されるように構成され、概ねＶ字形に離間している相補的な構成の係着ラグ３２、３３で周縁領域の周りに係合する。第２の部品１９は、自在継手又は軸継手２８のための継手受口又は継手座２９を有し、自在継手又は軸継手２８は、異形レール５の第１の部品１８の下方領域上に構成されて長手方向軸２３を形成し、この長手方向軸２３を中心に、異形レール５の第１の部品１８を開放位置から閉鎖位置に、またその逆に枢動させることが可能である。
【００４３】
図３は、家具閉鎖装置の閉鎖位置を示す。ばね張力を有するシール６は、この場合も、異形レール５の全幅にわたって位置付けられるリップシールであり、異形レール５の水平脚部２１の末端部が把持ストリップ８に伸びている。水平異形レール５の両側にナックル継手３０（図４も参照）が係着され、ナックル継手３０は、上方領域に傾斜が付けられて傾斜停止部３１を形成する。傾斜停止部３１を有するナックル継手３０は、異形レール５の第１の部品１８が第２の部品１９から外れるのを防止すると共に、開放位置への異形レール５の移動も制限する。
【００４４】
図４は、図３による家具閉鎖装置の左側コーナ領域の水平断面図であり、ばね張力を有するリップシール６及び異形レール５の端部キャップ３４を、上方傾斜停止部３１を有するナックル継手３０、ロック部材７、及びストリップ１４と共に示している。
【００４５】
図５は、前板３のうち異形レール５よりも下の領域の水平断面である。前板３は、両方の縦方向側部に縁材３５を有するが、そのうち左側の縦方向側部のみが図示されている。家具本体１１の合わせ面１３と係合する縦方向側部及び下横方向側部でもシール６を見ることができる。
【００４６】
図６〜図１０は、家具閉鎖装置のさらなる変形形態を示す。同一の特徴には同一の参照符号が付いている。
【００４７】
図６〜図８の変形形態では、シール６及びロック部材７を含む異形レール５が、前板３の接触面４の領域に固定され、水平長手方向軸２３を中心に枢動可能である。図６及び図７では、シール６及びロック部材７を含む異形レール５が閉鎖位置にあるが、図８は開放位置を示す。ロック部材７は、スタッド２４を用いて異形レール５に堅固に固定される。
【００４８】
異形レール５は、断面が概ねＴ字形であり、鉛直脚部２０で前板３の接触面４の領域に調整可能に固定される。ほぼ水平の脚部が、非対称に構成され、前板３の接触面４又は周縁領域を越えて外方に傾いて延び、末端部が把持ストリップ８に伸びている。
【００４９】
把持ストリップ８は、曲がってビード２５が設けられる。
【００５０】
水平脚部２１は、内側の方が短く、シール６を係止するための曲がった係着ウェブ又は支柱２２が末端に設けられる。異形レール５へのシール６のさらなる係止は、下方係着支柱又はウェブ２６（図７及び図８）を用いて行われ、下方係着支柱又はウェブ２６は、上方係着支柱２２に対向する向きにあるため、異形レール５の上又は中にシール６を保持するのに役立つ。
【００５１】
シール６は、弾性の圧縮性材料でできているため、図８の矢印Ａに従って、異形レール５を図６及び図７の閉鎖位置から図８の開放位置に移動させることが可能である。
【００５２】
このためには、異形レール５の外側の水平脚部２１の領域に位置付けられる保持部材９を、矢印Ｂに従って図６及び図７の留め付け位置から図８の開放位置に移動させる。
【００５３】
保持部材９は、図６及び図７の閉鎖位置で接触面４の外側１７に突き当たることで異形レール５を図６及び図７に示す閉鎖位置に挟み付ける、プラグインロックであり得る。図８において保持部材９を異形レール５の水平脚部２１の外側又は上に調整した後で、異形レール５を調整することが可能である。ロック部材７をストリップ１４から係脱させることで、矢印Ｃに従って引き出し２を家具開口部１２から抜き出すことができるようになる。
【００５４】
ストリップ１４は、テーパ・ジブ・ストリップとして構成され、その結果、閉鎖工程中に、ロック部材７又はそのフック２７がストリップ１４の後ろで係合する（図６及び図７）までウェッジ表面に沿って摺動することが確実になる。
【００５５】
図９及び図１０に示す、開口部１２を有する家具類１１及びそれに収容される引き出し２の変形形態は、異形レール５、シール６、ロック部材７、及び保持部材９を含む基本的な閉鎖構成に関して図６〜図８の構成とは異ならないが、シール６及びロック部材７の造形と、ここではスロット１５の形態である、家具類１１の係合部材とが異なる。
【００５６】
さらに、異形レール５及びロック部材７が一体となっている。図９に示す閉鎖位置では、フック状のロック部材７が家具類１１のスロット１５と係合し、シール６が家具類１１の合わせ面１３と平らに係合する。断面を考えると、シール６は、概ねロック部材７まで延びており、図１０に示すシール６及びロック部材７を含む異形レール５の開放位置は、ロック部材７又はシール６と前板３の段状構成とによって制限される。アンロック及び引き出し２の抜き出しに関する保持部材９の機能は、図６〜図８の変形形態と同じである。
【００５７】
図１１〜図１４による家具閉鎖装置の別の変形形態は、フラップ３又は引き出しの前板に対する水平配置と、家具類１１の形態の空調キャビネットのドアリーフ４１の縦方向側部４０（図１８を参照）に対する鉛直配置との両方に関して提供される。
【００５８】
この変形形態では、異形レール５は、ドア４１又はフラップ３の周縁領域に強固に係着され、概ね水平方向のＵのように概ね半円形又はＵ字形に構成される。異形レール５は、回転内管５１を受け入れるように構成され、弾性シール６、少なくとも１つのロック部材７、及び把持ストリップ８は、長手方向軸２３を中心に調整することができる内管５１に係着され、内管５１と共に閉鎖位置（図１３）から開放位置（図１４）に移行することができる。
【００５９】
内管５１の内側で保持されるシール足部６１と、家具類１１の合わせ面１３と平らに係合するように構成される２つ中空室６３、６４を含むシールヘッド６２とを有するセル状シール６０として構成される結果として、弾性シール６は、家具閉鎖装置の閉鎖位置及び開放位置を効果的に支持する比較的大きなばね張力を有する。
【００６０】
この実施形態では、家具類１１の合わせ面１３は、互いに直角を成す室形材４３、４４及び外向きに開いたコーナ領域４５を有する家具形材４２によって形成される。コーナ領域４５は、異形シール４６を受け入れると共に閉鎖位置でロック部材７と係合するように構成される。異形レール５の弾性シール６又はセル状シール６０は、異形シール４６及び家具形材４２のストリップ１４と係合する。ストリップ１４は、末端部がコーナ領域４５で概ね斜めに位置決めされており、異形シール４６とロック部材７のフック又はノーズ２７が係合するスロット１５のための異形凹部との境界を定める。
【００６１】
固定されているＵ字形異形レール５は、比較的短いＵ脚部４７、４８及び内向きに曲がった脚部端が設けられ、Ｕ開口部を合わせ面１３の方に向けた状態で水平に位置決めされる。Ｕ脚部４７の外側には、異形レール５をドア、フラップ、又は前板３の周縁領域に係着するための異形足部４９、５０が角度を付けて構成される。異形足部４９、５０と、金属カバー５８、５９を有する絶縁壁として構成されるフラップ３又はドア４１（図１８）の周縁領域とは、異形レールを押し込むか又は挟み込んで確実に保持することができるように構成される。冷蔵用家具類のドアの絶縁壁の構成に関しては、欧州特許第６６００５６号明細書を参照されたい。
【００６２】
異形レール５のＵ開口部と相補的な長手方向開口部を有する内管５１には、異形レール５の脚部端と協働する外向き脚部５２、５３が設けられる。その結果、内管５１は、異形レール５に滑り込ませることができ、確実に保持されて限られた範囲で枢動可能である。弾性シール６のシール足部６１は、内管５１の長手方向開口部の後ろに係合し、２つの中空室６３、６４を含むシールヘッド６２は、外方に突出して家具形材４２又は異形シール４６と平らに係合する。
【００６３】
弾性シール６の事実上向かい側に、内管５１は、把持ストリップ８を内管５１に保持する少なくとも１つの係着要素５４、例えば締め付けねじのための係着領域を有し、当該領域はここでは平坦な構成になっている。
【００６４】
締め付けねじ５４の付近に、異形レール５は、いずれの場合も締め付けねじ５４が貫通する凹部５５を有する。凹部５５は、弾性シール６、ロック部材７、及び把持ストリップ８を含む内管５１の開放移動を、前もって定めることができる範囲に制限できるような寸法であり得る。
【００６５】
少なくとも１つのロック部材７は、固定支柱５６を用いて内管５１内に固定され、冷橋を防止する、例えば発泡された、絶縁材５７が、ロック部材７及び弾性シール６の確実な保持にさらに役立ち得る。ニップル形態で構成されて互いに向かい合っている、内管５１の２つの突起６７が、内管５１でロック部材７を拘束するのに用いられる。
【００６６】
図１１及び図１２の斜視図においてロック部材７を見ることができるが、図１１では弾性シール６が一部破断されている。異形レール５は、前部に端部キャップ３４が設けられ、ドア４１又はフラップ３は、絶縁壁として構成される（図１３及び図１４を参照）。
【００６７】
図面において、同一の構成要素には同一の参照符号が付けられている。
【００６８】
図１４は、開放位置にある図１１〜図１３の家具閉鎖装置を示す。開放位置は、内管５１の外向き脚部５２、５３の領域、異形レール５の凹部５５の領域、及びドア、フラップ３、又は引き出しの前板の絶縁壁にあるロック部材７のための停止部材３１によって制限される。
【００６９】
図１５及び図１６は、図６〜図１０の家具閉鎖装置にほぼ対応する家具閉鎖装置を示す。ばね張力を増大させるために、弾性シール６は、シール６の係着領域７１を越えて延びてドア、フラップ、又は引き出し前板３の段状周縁領域に形成される、シール延長部７０を有する。
【００７０】
異形レール５は、長手方向軸２３を中心に図１５に示す閉鎖位置から開放位置（図１６）に移動させることができ、異形レール５の両端側部にある端部キャップ３４は、ドア４１又はフラップ３の周縁領域の係着点７３で保持される。弾性シール６は、係着領域７１で異形レール５の概ねＴ字形の係着スロット７２内に保持される。異形レール５の空洞には、冷橋を防止するために絶縁材５７が充填される。
【００７１】
ロック部材７は、フック形であるか又は末端部にノーズ２７が設けられ、閉鎖位置（図１５）で家具類１１のストリップ１４の後ろに係合する。把持ストリップ８は、異形レール５の斜め脚部に形成される。
【００７２】
弾性シール６及びシール延長部７０を含む家具係着装置は、ドア４１又はフラップ３の全長又は全幅にわたって延びるのではなく例えば１０ｃｍ〜１５ｃｍの長さである異形レール５に特に適している（図１８を参照）。
【００７３】
図１７の家具閉鎖装置は、長手方向側部ピボットピン２３、シール延長部７０を有する弾性シール６、ロック部材７、及び把持ストリップ８を備える異形レール５を有し、異形レール５は、外側把持凹部６５を有するドア、フラップ、又は前板３の周縁領域に調整可能に固定される。弾性シールは、図１７の閉鎖位置では家具形材４２と係合し、家具形材４２は、外向きに開いた中空室内にストランド状の異形シール４６が設けられる。直角に配置されている室形材４３、４４及び異形シール４６に関しては、家具形材４２は、図１３及び図１４のものに対応する。しかしながら、コーナ領域４５では、ロック部材７のためのストリップ１４は室形材４４の外部に配置され、ロック部材７は、ストリップ１４と相補的なフック状である。
【００７４】
図１８は、一部領域にわたってしか延びていない家具閉鎖装置３９を縦方向側部４０に有する、空調キャビネットのドア４１の付近を例示的に示す。このような閉鎖装置には、シール延長部を含む弾性シールが特に適している。
【図１】
2010511109.tif 000003
【図２】
2010511109.tif 000004
【図３】
2010511109.tif 000005
【図４】
2010511109.tif 000006
【図５】
2010511109.tif 000007
【図６】
2010511109.tif 000008
【図７】
2010511109.tif 000009
【図８】
2010511109.tif 000010
【図９】
2010511109.tif 000011
【図１０】
2010511109.tif 000012
【図１１】
2010511109.tif 000013
【図１２】
2010511109.tif 000014
【図１３】
2010511109.tif 000015
【図１４】
2010511109.tif 000016
【図１５】
2010511109.tif 000017
【図１６】
2010511109.tif 000018
【図１７】
2010511109.tif 000019
【図１８】
2010511109.tif 000020
【手続補正書】
【提出日】平成21年12月22日(2009.12.22)
【手続補正１】
【補正対象書類名】特許請求の範囲
【補正対象項目名】全文
【補正方法】変更
【補正の内容】
【特許請求の範囲】
【請求項１】
ドア、フラップ、及び引き出し用の家具閉鎖装置であって、いずれの場合も家具類（１１）の開口部（１２）を覆うか又は該開口部（１２）に受け入れられ、前記ドア、前記フラップ、又は前記引き出し（２）の前板（３）の接触面（４）が前記開口部（１２）を越えて突出して閉鎖位置で前記家具類（１１）の合わせ面（１３）と係合する、家具閉鎖装置において、
前記ドア、前記フラップ、又は前記前板（３）の周縁領域に、異形レール（５）が設けられ、該異形レール（５）は、シール（６）及びロック部材（７）を備え、前記閉鎖位置から開放位置に、またその逆に調整可能であることを特徴とする、ドア、フラップ、及び引き出し用の家具閉鎖装置。
【請求項２】
前記シール（６）及び前記ロック部材（７）を含む前記異形レール（５）は、長手方向軸（２３）を中心に枢動可能であり、前記シール（６）は、前記ロック部材（７）を、したがって前記ドア、前記フラップ、又は前記引き出し（２）を前記閉鎖位置に保つばね張力を有することを特徴とする、請求項１に記載の家具閉鎖装置。
【請求項３】
弾力性があり、ばね張力を有する材料でできている前記シール（６）は、前記閉鎖位置で前記家具類（１１）の前記合わせ面（１３）と密封係合し、前記ドア、前記フラップ、又は前記引き出し（２）のアンロック及び開放のために圧縮可能であることを特徴とする、請求項１又は２に記載の家具閉鎖装置。
【請求項４】
前記シール（６）は、弾性プラスチック又は発泡ゴムでできており、及び／又はリップシール又はセル状シールとして構成されることを特徴とする、請求項１乃至３のいずれか１項に記載の家具閉鎖装置。
【請求項５】
前記シール（６）は、シーリング材又は絶縁材でできていることを特徴とする、請求項１乃至４のいずれか１項に記載の家具閉鎖装置。
【請求項６】
前記異形レール（５）の前記長手方向軸（２３）は、ヒンジ状又は継手状構成を有し、前記異形レール（５）は、帯又は弾性ヒンジ、ピボット継手、又はピボットピンを用いて前記ドア、前記フラップ、又は前記引き出し（２）の前記前板（３）に固定されることを特徴とする、請求項１乃至５のいずれか１項に記載の家具閉鎖装置。
【請求項７】
前記異形レール（５）は、２つの部品で構成され、第１の部品（１８）が、継手（２８）、例えば自在継手又は軸継手、並びに前記シール（６）及び前記ロック部材（７）を有し、第２の部品（１９）が、前記水平軸（２３）を形成するように前記継手（２８）を受け入れる継手受口（２９）、例えばローラ座又は軸座（roller or shaft seat）を有することを特徴とする、請求項１乃至６のいずれか１項に記載の家具閉鎖装置。
【請求項８】
前記異形レール（５）は、把持ストリップ（８）を有することを特徴とする、請求項１乃至７のいずれか１項に記載の家具閉鎖装置。
【請求項９】
前記異形レール（５）に、前記開放位置への該異形レール（５）の枢動を制限する少なくとも１つの傾斜停止部（３１、３７）が設けられることを特徴とする、請求項１乃至８のいずれか１項に記載の家具閉鎖装置。
【請求項１０】
前記異形レール（５）は、断面が概ねＩ字形又はＴ字形であり、鉛直脚部（２０）及び水平脚部（２１）を有し、該水平脚部（２１）は、外部に前記把持ストリップ（８）が設けられ、前記異形レール（５）の枢動可能な係着が、前記鉛直脚部（２０）の領域で行われることを特徴とする、請求項１乃至９のいずれか１項に記載の家具閉鎖装置。
【請求項１１】
前記異形レール（５）及び該異形レール（５）の中又は上に保持されるシール（６）は、水平配置の場合、前記ドア、前記フラップ、又は前記引き出し（２）の前記前板（３）の上方領域で幅にわたって延び、鉛直配置の場合、特にドアの縦方向側部で該ドアの一部領域にわたって延び、前記シール（６）は、前記ドア、前記フラップ、又は前記前板の残りの側部にも位置付けられることを特徴とする、請求項１乃至１０のいずれか１項に記載の家具閉鎖装置。
【請求項１２】
前記異形レール（５）は、プラスチック、例えばＰＶＣ、又は金属、例えばアルミニウムでできていることを特徴とする、請求項１乃至１１のいずれか１項に記載の家具閉鎖装置。
【請求項１３】
少なくとも１つのロック部材（７）が、前記異形レール（５）に固定されるか又は組み込まれることを特徴とする、請求項１乃至１２のいずれか１項に記載の家具閉鎖装置。
【請求項１４】
前記ロック部材（７）は、キャッチ部材として、前記ドア、前記フラップ、又は前記引き出し（２）が前記閉鎖位置にあるときに前記家具類（１１）のストリップ（１４）、特にテーパジブストリップの後ろに係合するように構成されることを特徴とする、請求項１乃至１３のいずれか１項に記載の家具閉鎖装置。
【請求項１５】
前記ロック部材（７）は、前記異形レール（５）に組み込まれ、前記家具類（１１）のスロット（１５）内に係合するように構成されることを特徴とする、請求項１乃至１４のいずれか１項に記載の家具閉鎖装置。
【請求項１６】
前記異形レール（５）の前記第２の部品（１９）は、前記ドア、前記フラップ、又は前記引き出し（２）の前記前板（３）の前記周縁領域（１０）にナックル継手（３０）で固定することができ、該ナックル継手（３０）は、前記異形レール（５）の前記第１の部品（１８）の前記開放位置のための傾斜停止部（３１）として構成されることを特徴とする、請求項７乃至１５のいずれか１項に記載の家具閉鎖装置。
【請求項１７】
前記異形レール（５）の前記開放位置は、前記シール（６）及び／又は前記ロック部材（７）及び／又は前記接触面（４）及び／又は前記ドア、前記フラップ、若しくは前記前板（３）の内側（１６）の構成によって制限することができることを特徴とする、請求項１乃至１６のいずれか１項に記載の家具閉鎖装置。
【請求項１８】
保持部材（９）が、前記異形レール（５）に、特に前記水平脚部（２１）に位置決めされることを特徴とする、請求項１乃至１７のいずれか１項に記載の家具閉鎖装置。
【請求項１９】
前記保持部材（９）は、鉛直方向に調整可能であり、プラグインロックとして構成され、前記異形レール（５）、したがって前記ドア、前記フラップ、又は前記引き出し（２）は、前記閉鎖位置で保持されることを特徴とする、請求項１８に記載の家具閉鎖装置。
【請求項２０】
前記保持部材（９）は、前記閉鎖位置で前記接触面（４）の外側（１７）に当接して保持され、前記開放位置で前記異形レール（５）の上に突出することを特徴とする、請求項１８乃至１９のいずれか１項に記載の家具閉鎖装置。
【請求項２１】
前記異形レール（５）は、断面が概ね半円形又はＵ字形であり、回転内管（５１）を受け入れるように構成され、前記把持ストリップ（８）、前記弾性シール（６）、及び前記ロック部材（７）は、前記回転内管（５１）に固定され、前記閉鎖位置から前記開放位置に、またその逆に調整することができることを特徴とする、請求項６、８、９、１１〜１５、１７乃至２０のいずれか１項に記載の家具閉鎖装置。
【請求項２２】
前記弾性シール（６）は、セル状シール（６０）として構成され、前記内管（５１）に固定されるシール足部（６１）と、前記家具類（１１）の前記合わせ面（１３）に平らに係合するように構成される少なくとも１つのセル（６３、６４）を含むシールヘッド（６２）とを有することを特徴とする、請求項２１に記載の家具閉鎖装置。
【請求項２３】
前記家具類（１１）の前記合わせ面（１３）は、家具形材（４２）によって形成され、該家具形材（４２）は、互いに直角を成す室形材（４３、４４）、異形シール（４６）を受け入れるように構成されるコーナ領域（４５）、及び前記閉鎖位置で前記ロック部材（７）を係合させるためのスロット（１５）を有することを特徴とする、請求項２１又は２２に記載の家具閉鎖装置。
【請求項２４】
前記異形レール（５）の前記弾性シール（６）は、前記閉鎖位置で前記異形シール（４６）及び前記家具形材（４２）のストリップ（１４）と係合し、該ストリップ（１４）は、末端部が前記コーナ領域（４５）で概ね斜めに延び、前記異形シール（４６）のための異形凹部を前記ロック部材（７）を受け入れる前記スロット（１５）から分離することを特徴とする、請求項２１乃至２３のいずれか１項に記載の家具閉鎖装置。
【請求項２５】
前記Ｕ字形の異形レール（５）は、内向きに曲がった脚部端を有する比較的短いＵ脚部（４７、４８）を有し、該Ｕ脚部の一方（４７）には、前記異形レール（５）を前記ドア、前記フラップ、又は前記前板（３）の前記周縁領域に固定する異形足部（４９、５０）が形成されることを特徴とする、請求項２１乃至２４のいずれか１項に記載の家具閉鎖装置。
【請求項２６】
前記内管（５１）は、前記異形レール（５）のＵ開口部と相補的な長手方向開口部を有し、該長手方向開口部の領域では、前記弾性シール（６）が設けられてシールヘッド（６２）が外方に突出し、前記把持ストリップ（８）は、前記長手方向開口部と概ね向かい合って固定部材（５４）を用いて前記回転内管（５１）に固定されることを特徴とする、請求項２１乃至２５のいずれか１項に記載の家具閉鎖装置。
【請求項２７】
長手方向軸（２３）を中心に前記弾性シール（６）、前記ロック部材（７）、及び前記把持ストリップ（８）を含む前記内管（５１）を回転調整するために、少なくとも前記締め付けねじ（５４）の付近で、前記異形レール（５）は凹部（５５）を有し、該凹部（５５）は、前記内管（５１）の開放移動を制限するような寸法であることを特徴とする、請求項２１乃至２６のいずれか１項に記載の家具閉鎖装置。
【請求項２８】
前記ロック部材（７）は、固定支柱（５６）を用いて前記内管（５１）内に固定されることを特徴とする、請求項２１乃至２７のいずれか１項に記載の家具閉鎖装置。
【請求項２９】
冷橋を回避するため、及び前記弾性シール（６）及び前記ロック部材（７）の付加的な保持のために、前記内管（５１）に、特に発泡させた絶縁材（５７）が設けられることを特徴とする、請求項２１乃至２８のいずれか１項に記載の家具閉鎖装置。
【請求項３０】
調整可能な前記内管（５１）、前記弾性シール（６）、前記少なくとも１つのロック部材（７）、及び前記把持ストリップ（８）を含む前記異形レール（５）は、特に前記ドア、前記フラップ、又は前記前板（３）の上方周縁領域に水平に、又は特に該ドア（４１）の縦方向側部（４０）の一部領域に鉛直に位置決めされることを特徴とする、請求項２１乃至２９のいずれか１項に記載の家具閉鎖装置。
【請求項３１】
前記異形レール（５）を前記縦方向側部（４０）の一部領域に位置決めする場合、前記ばね張力を増大させるためのシール延長部（７０）を含む前記弾性シールが設けられ、該シール延長部（７０）は、前記異形レール（５）の係着スロット（７２）内で前記弾性シール（６）を受け入れる係着領域（７１）を越えて延びることを特徴とする、請求項１乃至３０のいずれか１項に記載の家具閉鎖装置。
【請求項３２】
前記異形レール（５）は、前部に端部キャップ（３４）が設けられ、該端部キャップ（３４）は、前記フラップ、前記前板（３）、又は前記ドア（４１）の前記周縁領域の係着点（７３）に固定することができる、請求項３１に記載の家具閉鎖装置。
【請求項３３】
前記弾性シール（６）、前記ロック部材（７）、及び前記把持ストリップ（８）を含む、前記長手方向軸（２３）を中心に調整可能な前記異形レール（５）は、把持凹部（６５）を有する前記ドア、前記フラップ、又は前記前板（３）の前記周縁領域に配置され、前記弾性シール（６）は、前記家具形材（４２）の前記異形シール（４６）と係合し且つシール延長部（７０）を有し、前記ロック部材（７）は、フック状構成を有し、前記ロック位置では、相補的に構成されて前記家具形材（４２）に配置されているストリップ（１４）の後ろに係合することを特徴とする、請求項１乃至２０、３１、３２のいずれか１項に記載の家具閉鎖装置。
【国際調査報告】
2010511109.tif 000021
2010511109.tif 000022
2010511109.tif 000023
2010511109.tif 000024
2010511109.tif 000025
2010511109.tif 000026